(57)【要約】【課題】装置のパスワードに関連する情報として用いる年情報が変更された場合でも、予定したパスワードに変更し、セキュリティを確保可能な医用画像診断装置を実現する。【解決手段】既定された年の初回起動時、パスワード入力画面２７ａでユーザＩＤ、パスワードを入力するとデータ記憶部２８はＭＲＩ装置内の時計機能により経時された年を年情報記憶部２９より取得して保存する。入力ユーザＩＤ及びデータ記憶部２８に格納された年対応パスワードをデータベース記憶部３０ａより取得し入力したパスワードと比較し、一致した場合にＭＲＩ装置のメンテナンスプログラムを使用可能な状態にする。その年の２回目以降の起動時には、データ記憶部２８は年情報記憶部２９からは情報を取得せず、データ記憶部２８に格納されている年情報を元に、既定年の初回起動時と同様の処理を行う。【選択図】図２
2010136825.tif 000002
【特許請求の範囲】
【請求項１】
医用画像診断装置において、
パスワード入力手段と、
少なくとも年度によって、変更されるパスワードの情報を記憶する年度パスワード記憶手段と、
少なくとも年度を経時する経時手段と、
上記経時手段により経時された年度情報を記憶する年度情報記憶手段と、
上記パスワード入力手段によりパスワードが入力されると、この入力が所定の期間における初回の入力か否かを判断し、初回の入力の場合、上記経時手段により経時された年度情報を、上記年度情報記憶手段に記憶させるとともに、上記経時された年度情報に基づいて、その年度に対応するパスワードを上記年度パスワード記憶手段から読み出し、上記パスワード入力手段から入力されたパスワードと比較して、互いに一致する場合のみメンテナンスプログラムを使用可能とし、上記パスワード入力手段によるパスワードの入力が、上記所定の期間における２回目以降の入力の場合、上記年度情報記憶手段に記憶された年度情報に基づいて、その年度に対応するパスワードを上記年度パスワード記憶手段から読み出し、上記パスワード入力手段から入力されたパスワードと比較して、互いに一致する場合のみメンテナンスプログラムを使用可能とする制御手段と、
を備えることを特徴とする医用画像診断装置。
【請求項２】
医用画像診断装置において、
所定の期間毎に変更される時変パスワード及び期間に関係なく不変の不変パスワードが入力されるパスワード入力手段と、
所定の期間によって変更される時変パスワードの情報を記憶する時変パスワード記憶手段と、
標準時間情報提供手段からの標準時間情報を入力する標準時間情報入力手段と
上記不変パスワードを記憶する不変パスワード記憶手段と、
上記パスワード入力手段から、時変パスワード及び不変パスワードが入力されると、上記標準時間情報入力手段に入力された標準時間に対応する、所定の期間の上記時変パスワードに記憶された時変パスワードを読み出し、上記パスワード入力手段より入力された時変パスワードと比較して、互いに一致し、かつ、上記パスワード入力手段から入力された不変パスワードと上記不変パスワード記憶手段に記憶された不変パスワードとを比較して、互いに一致する場合には、メンテナンスプログラムを使用可能とし、上記所定の期間内に、上記メンテナンスプログラムの使用を可能とした不変パスワードが、上記パスワード入力手段から入力された場合、上記時変パスワードの一致不一致を判断すること無く、上記メンテナンスプログラムの使用を可能とする制御手段と、
を備えることを特徴とする医用画像診断装置。
【請求項３】
請求項１記載の医用画像診断装置において、この医用画像診断装置は、磁気共鳴イメージング装置であることを特徴とする医用画像診断装置。
【発明の詳細な説明】
【技術分野】
【０００１】
本発明は、核磁気共鳴イメージング装置等の医用画像診断装置に関する。
【背景技術】
【０００２】
医用画像診断装置である磁気共鳴イメージング装置（ＭＲＩ装置）は、被検体の組織を構成する原子核スピンが発生するＮＭＲ信号を計測し、その頭部、腹部、四肢等の形態や機能を２次元的に或いは３次元的に画像化する装置である。
【０００３】
医用画像診断装置において、特定の装置やサービス等を利用する場合には、ユーザＩＤおよびそれに対応するパスワードの入力を必要とする認証システムが広く用いられる。このパスワードを固定とし、ユーザもしくは管理者によって変更されない限りは変わらないものであった。
【０００４】
このため、医用画像診断装置ではないが、特許文献１に記載されているように、年月日や時間等によってパスワードを動的に変えるシステムが提案されている。
【０００５】
このシステムは、予め年月日や時間等に対応させてパスワードを登録しておき、その年月日や時間等の条件に一致した際にパスワードが自動的に切り替わるものである。このようにパスワードをある情報に基づいて変化させることで、セキュリティ強度の高い認証システムを作る事が可能である。
【０００６】
ＭＲＩ装置に代表される医用画像診断装置にあっては、メンテナンスプログラムを使用することによって、装置納入時や保守点検時に調整を行うことができる。このメンテナンスプログラムには、契約したサービス員以外が使用できないようにパスワード認証などで使用制限が設けられている。
【０００７】
【特許文献１】特開平６−２６６６７１号公報
【発明の開示】
【発明が解決しようとする課題】
【０００８】
しかし、特許文献１に記載の技術では、契約サービス員が退職した後であっても、パスワードは一定期間使用可能であるため、そのパスワードを用いてＭＲＩ装置のメンテナンスプログラムを使用することが可能となっていた。
【０００９】
これは、年月日や時間を装置内のタイマーにより取得する場合、ユーザによりタイマーの年月日や時間が変更されれば、一定期間経過後のパスワードであっても、装置のメンテナンスプログラムを使用することが可能であるからである。
【００１０】
また、時間によりパスワードを変更するシステムの場合、タイマーの時間が狂うことにより予定したパスワードとは異なるパスワードが設定されてしまう可能性がある。さらに、短期間でパスワードが変化していく為、パスワード入力をするユーザにとって不便なシステムである。
【００１１】
本発明の目的は、装置のパスワードに関連する情報として用いる年情報が変更された場合でも、予定したパスワードに変更し、セキュリティを確保可能な医用画像診断装置を実現することである。
【課題を解決するための手段】
【００１２】
上記目的を達成するために、本発明は、次のように構成される。
【００１３】
本発明の医用画像診断装置は、パスワード入力手段と、少なくとも年度によって、変更されるパスワードの情報を記憶する年度パスワード記憶手段と、少なくとも年度を経時する経時手段と、上記経時手段により経時された年度情報を記憶する年度情報記憶手段と、制御手段とを備え、この制御手段は、上記パスワード入力手段によりパスワードが入力されると、この入力が所定の期間における初回の入力か否かを判断し、初回の入力の場合、上記経時手段により経時された年度情報を、上記年度情報記憶手段に記憶させるとともに、上記経時された年度情報に基づいて、その年度に対応するパスワードを上記年度パスワード記憶手段から読み出し、上記パスワード入力手段から入力されたパスワードと比較して、互いに一致する場合のみメンテナンスプログラムを使用可能とし、上記パスワード入力手段によるパスワードの入力が、上記所定の期間における２回目以降の入力の場合、上記年度情報記憶手段に記憶された年度情報に基づいて、その年度に対応するパスワードを上記年度パスワード記憶手段から読み出し、上記パスワード入力手段から入力されたパスワードと比較して、互いに一致する場合のみメンテナンスプログラムを使用可能とする。
【発明の効果】
【００１４】
装置のパスワードに関連する情報として用いる時期的情報が変更された場合でも、予定したパスワードに変更し、セキュリティを確保可能な医用画像診断装置を実現することができる。
【発明を実施するための最良の形態】
【００１５】
以下、添付図面に従って本発明の実施形態について詳説する。なお、以下に説明する例は、本発明をＭＲＩ装置に適用した場合の例である。また、全図において、同一機能を有するものは同一符号を付け、その繰り返しの説明は省略する。
【００１６】
図１は、本発明の一実施形態が適用されるＭＲＩ装置の全体概略構成図である。このＭＲＩ装置は、ＮＭＲ現象を利用して被検体の断層画像を得るもので、図１に示すように、ＭＲＩ装置は、静磁場発生系２と、傾斜磁場発生系３と、送信系５と、受信系６と、信号処理系７と、シーケンサ４と、中央処理装置（ＣＰＵ）８とを備えている。
【００１７】
静磁場発生系２は、垂直磁場方式であれば、被検体１の周りの空間にその体軸と直交する方向に、水平磁場方式であれば、体軸方向に均一な静磁場を発生させるもので、被検体１の周りに永久磁石方式、常電導方式あるいは超電導方式の静磁場発生源が配置されている。
【００１８】
傾斜磁場発生系３は、ＭＲＩ装置の座標系（静止座標系）であるＸ、Ｙ、Ｚの３軸方向に巻かれた傾斜磁場コイル９と、それぞれの傾斜磁場コイル９を駆動する傾斜磁場電源１０とを備え、シ−ケンサ４からの命令に従ってそれぞれのコイルの傾斜磁場電源１０を駆動することにより、Ｘ、Ｙ、Ｚの３軸方向に傾斜磁場Ｇｘ、Ｇｙ、Ｇｚを印加する。
【００１９】
撮影時には、スライス面（撮影断面）に直交する方向にスライス方向傾斜磁場パルス（Ｇｓ）を印加して被検体１に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。
【００２０】
シーケンサ４は、高周波磁場パルス（ＲＦパルス）と傾斜磁場パルスとを所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。
【００２１】
送信系５は、被検体１の生体組織を構成する原子の原子核スピンに核磁気共鳴を起こさせるために、被検体１にＲＦパルスを照射するもので、高周波発振器１１と、変調器１２と、高周波増幅器１３と、送信側の高周波コイル（送信コイル）１４ａとを備える。
【００２２】
高周波発振器１１から出力された高周波パルスをシーケンサ４からの指令によるタイミングで変調器１２により振幅変調し、この振幅変調された高周波パルスを高周波増幅器１３で増幅した後に被検体１に近接して配置された高周波コイル１４ａに供給すると、ＲＦパルスが被検体１に照射される。
【００２３】
受信系６は、被検体１の生体組織を構成する原子核スピンの核磁気共鳴により放出されるエコー信号（ＮＭＲ信号）を検出するもので、受信側の高周波コイル（受信コイル）１４ｂと、信号増幅器１５と、直交位相検波器１６と、Ａ／Ｄ変換器１７とを備える。
【００２４】
送信側の高周波コイル１４ａから照射された電磁波によって誘起された被検体１からのＮＭＲ信号が被検体１に近接して配置された高周波コイル１４ｂで検出され、信号増幅器１５で増幅される。その後、シーケンサ４からの指令によるタイミングで直交位相検波器１６により直交する二系統の信号に分割され、それぞれがＡ／Ｄ変換器１７でディジタル量に変換されて、信号処理系７に送られる。
【００２５】
信号処理系７は、各種データ処理と処理結果の表示及び保存等を行うもので、光ディスク１９、磁気ディスク１８（ＲＯＭ２１、ＲＡＭ２２）等の外部記憶装置と、ＣＲＴ等からなるディスプレイ２０とを備え、受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８、ＲＡＭ２２に記録する。
【００２６】
操作部２５は、ＭＲＩ装置の各種制御情報や上記信号処理系７で行う処理の制御情報を入力するもので、トラックボール又はマウス２３、及び、キーボード２４を備える。この操作部２５はディスプレイ２０に近接して配置され、操作者がディスプレイ２０を見ながら操作部２５を通してインタラクティブにＭＲＩ装置の各種処理を制御する。
【００２７】
なお、送信側の高周波コイル１４ａと傾斜磁場コイル９とは、被検体１が挿入される静磁場発生系２の静磁場空間内に、垂直磁場方式であれば被検体１に対向して、水平磁場方式であれば被検体１を取り囲むようにして設置されている。また、受信側の高周波コイル１４ｂは、被検体１に対向して、或いは取り囲むように設置されている。
【００２８】
図２は、図１に示したＭＲＩ装置における認証システムの全体構成図である。図２において、本発明の一実施形態における認証システムは、ユーザ２６がユーザＩＤ及びパスワードを入力するパスワード入力手段であるパスワード入力画面２７ａ（ディスプレイ２０）と、既定された年の初回認証時の年を記憶しているデータ記憶部２８と、記憶部２８に記憶されたデータが参照する年情報記憶部（ＭＲＩ装置内）２９と、ユーザＩＤおよび年月日に関連づけたパスワードを保管しているデータベース記憶部３０ａとを備える。データ記憶部２８、年情報記憶部２９、データベース記憶部３０ａは、磁気ディスク１８、光ディスク１９、ＲＡＭ２２で構成される。
【００２９】
既定された年において、初回起動時、ユーザ２６がパスワード入力画面２７ａでユーザＩＤ、パスワードを入力すると、データ記憶部２８は、ＭＲＩ装置内の時計機能を有する経時手段により経時された年を年情報記憶部２９より取得して保存する。次に、ユーザ２６により入力されたユーザＩＤおよびデータ記憶部（年度情報記憶手段）２８に格納されている年に対応するパスワードをデータベース記憶部（年度パスワード記憶手段）３０ａより取得し、ユーザ２６がパスワード入力画面２７ａで入力したパスワードと比較し、一致した場合にＭＲＩ装置のメンテナンスプログラムを使用可能な状態にする。
【００３０】
既定年の２回目以降の起動時には、データ記憶部２８は年情報記憶部２９からは情報を取得せず、データ記憶部２８に格納されている年情報を元に、既定年の初回起動時と同様の処理を行う。データ記憶部２８で記憶した年がデータベース３０ａに無かった場合は、データベース３０ａの最後に格納されているパスワードを用いる。
【００３１】
また、オペレータ等は、ＭＲＩ装置内の年情報が正しくないと判明した場合には、管理者用のパスワードを入力する事で、データ記憶部２８中の情報を削除することができる。この中で扱われる年情報、パスワードは全てハッシュ変換されて扱われる。
【００３２】
次に、本発明の一実施形態の動作について図３を用いて説明する。
【００３３】
ステップ３０１において、ＣＰＵ（制御手段）８は、データ記憶部２８に既定年の初回認証時の年が記憶されているか否かを確認する。記憶されていない場合はステップ３０２へ進み、存在する場合にはステップ３１５へ進む。
【００３４】
次に、ステップ３０２において、ＣＰＵ８は、データ記憶部２８に年情報記憶部２９に記憶された年情報を保存する。
【００３５】
続いて、ステップ３０３において、ＣＰＵ８は、データ記憶部２８の中に格納されている年情報をハッシュ変換する。
【００３６】
そして、ステップ３０４において、ユーザ２６がパスワード入力画面２７ａでユーザＩＤ、パスワードを入力する。
【００３７】
ステップ３０５において、ＣＰＵ８は、ユーザ２６により入力されたユーザＩＤがデータベース記憶部３０ａ中に存在するかどうかを判断する。存在する場合はステップ３０６へ進み、存在しない場合にはステップ３０４へ戻る。
【００３８】
そして、ステップ３０６において、ＣＰＵ８は、データ記憶部２８の中に格納されている年情報を取得する。
【００３９】
次に、ステップ３０７において、ＣＰＵ８は、ユーザ２６が入力したユーザＩＤに関連付けられた年情報がデータベース記憶部３０ａの中に存在しているか判断する。存在している場合はステップ３０８へ進み、存在していない場合はステップ３１７へ進む。
【００４０】
ステップ３０８において、ＣＰＵ８は、ユーザ２６によって入力されたユーザＩＤ、データ記憶部２８の中に格納されている年情報に該当するパスワードをデータベース記憶部３０ａより検索し、認証処理に用いるパスワードとして設定する。
【００４１】
次に、ステップ３０９において、ＣＰＵ８は、パスワード入力画面２７ａよりユーザ２６が入力したパスワードをハッシュ変換する。
【００４２】
そして、ステップ３１０において、ＣＰＵ８は、ユーザ２６により入力されたパスワードとステップ３０８で設定した認証処理用のパスワードとが一致するか判断する。一致する場合は、ステップ３１１に進み、一致しない場合はステップ３１２へ進む。
【００４３】
ステップ３１１において、ＣＰＵ８は、ＭＲＩ装置のメンテナンスプログラムを使用可能な状態にする。
【００４４】
ステップ３１２において、ユーザ２６は、データ記憶部２８に記憶されたデータを削除するかどうかを選択し、削除する場合には管理者用のパスワードを入力する。
【００４５】
そして、ステップ３１３において、ＣＰＵ８は、ユーザ２６によりパスワードが入力されているが、また入力されている場合には、入力されたパスワードと管理者用パスワードが一致するか判断する。入力されたパスワードが一致する場合は、ステップ３１４に進み、パスワードが入力されていない、もしくは、一致しない場合には、ステップ３０１へ戻る。
【００４６】
ステップ３１４において、ＣＰＵ８は、データ記憶部２８に記憶されたデータを削除する。
【００４７】
ステップ３１５において、ＣＰＵ８は、データ記憶部２８に格納されている年情報が年情報記憶部２９に記憶された年情報よりも前か否かを判断する。データ記憶部２８に記憶された年情報が年情報記憶部２９に記憶された年情報より前の年だった場合には、ステップ３１６へ進み、そうでない場合にはステップ３０４へ進む。
【００４８】
ステップ３１６において、データ記憶部２８に年情報記憶部２９に記憶された年情報を入れて更新する。
【００４９】
ステップ３１７においては、データベース記憶部３０ａに格納されている最後のパスワードを認証処理用のパスワードとして設定する。そして、ステップ３０９に進む。
【００５０】
以上のように、本発明の一実施形態におけるＭＲＩ装置によれば、ＭＲＩ装置内のコンピュータにより経時された時刻を補正するにあたり、ＭＲＩ装置内の年情報がユーザによって変更された場合であっても、既定年の初回認証時の年情報をデータ記憶部２８に保存して、次回以降の認証時で参照する為、メンテナンスプログラムを契約サービス員以外に使用させないようにすることができる。
【００５１】
ＭＲＩ装置内のコンピュータが、正しい時刻データを送るＮｅｔｗｏｒｋ  Ｔｉｍｅ  Ｐｒｏｔｏｃｏｌ（ＮＴＰ）サーバより年情報を取得することができれば、誤った年情報に変更されることはないが、ＮＴＰにより年情報が取得できない場合もある。このような場合であっても、本発明の一実施形態のような構成とすれば、パスワードに関連させる情報として用いる年情報が変更された場合でも、予定したパスワードに変更可能なＭＲＩ装置を実現することができる。
【００５２】
次に、本発明の他の実施形態について図４を用いて説明する。
【００５３】
本発明の他の実施形態は、上述した一実施形態と異なり、既定期間の初回認証時にＮＴＰサーバより年月日情報を取得し、認証に２種類のパスワードを用いる。また、既定期間の２回目以降の認証時に、１種類のパスワードと認証情報とを使用する点で上述した一実施形態と異なっている。以下、異なる部分のみ説明し、同じ部分の説明は省略する。
【００５４】
本発明の他の実施形態における認証システムは、ユーザ２６がユーザＩＤ、パスワードを入力するパスワード入力手段であるパスワード入力画面２７ｂ、２７ｃ（ディスプレイ２０）と、ユーザＩＤ、既定の期間（開始〜終了年月日）に関連づけたパスワードを保管するデータベース記憶部３０ｂ（時変パスワード記憶手段）と、ユーザＩＤに関連付けたパスワードを保管するデータベース記憶部３０ｃ（不変パスワード記憶手段）と、ＮＴＰサーバ内の年月日情報を示す年月日情報記憶部（ＮＴＰサーバ内）３１と、認証情報記憶部３２とを備える。データベース記憶部３０ｂ、データベース記憶部３０ｃ、ＮＴＰサーバ内の年月日情報を示す年月日情報記憶部（ＮＴＰサーバ内）３１、認証情報記憶部３２は、磁気ディスク１８、光ディスク１９、ＲＡＭ２２で構成される。
【００５５】
認証情報記憶部３２は、前回認証時における、データベース記憶部３０ｂに記憶された既定期間の開始及び終了、並びに前回認証をパスしたかどうかについての情報を有する。データベース記憶部３０ｂで保管されているパスワードは年月日により異なるため、時変パスワードと呼ぶ事とし、データベース３０ｃで保管されているパスワードは一定で変化しないため、不変パスワードと呼ぶ事とする。
【００５６】
また、不変パスワード用として入力したパスワードをパスワード（不変用）、時変パスワード用として入力したパスワードをパスワード（時変用）と呼ぶ事とする。
【００５７】
既定期間の初回認証時に、ＣＰＵ（制御手段）８は、ユーザ２６がパスワード入力画面２７ｂでユーザＩＤ、パスワード（時変用）およびパスワード（不変用）を入力すると、年月日情報記憶部（ＮＴＰサーバ内）３１に記憶された現在の年月日情報を取得する。次に、ユーザ２６により入力されたユーザＩＤに該当する不変パスワードをデータベース記憶部３０ｃより取得し、ユーザ２６が入力したパスワード（不変用）と比較する。
【００５８】
その後、ユーザ２６が入力したユーザＩＤおよび年月日情報記憶部（ＮＴＰサーバ内）３１に該当する時変パスワードをデータベース記憶部３０ｂより取得し、ユーザ２６が入力したパスワード（時変用）と比較し、一致した場合にＭＲＩ装置のメンテナンスプログラムを使用可能な状態にする。
【００５９】
既定期間の２回目以降の認証時にユーザ２６がパスワード入力画面２７ｃでユーザＩＤ、パスワード（不変用）を入力すると、ユーザＩＤに該当する不変パスワードをデータベース記憶部３０ｃより取得し、ユーザ２６が入力したパスワード（不変用）と比較して一致していることが確認でき、認証情報記憶部３２で前回認証したことを確認できた場合にＭＲＩ装置のメンテナンスプログラムを使用可能な状態にする。
【００６０】
次に、本発明の他の実施形態の動作について図５及び図６に示したフローチャートを参照して説明する。なお、図５、図６に示したフローチャートは、図５から図６に連続している。
【００６１】
ステップ５０１において、ＣＰＵ８は、認証情報記憶部３２内に記憶する情報が存在するか否かを判断し、存在する場合にはステップ５０３へ進み、存在しない場合にはステップ５０２へ進む。
【００６２】
ステップ５０２において、ＣＰＵ８は、認証情報として認証をパスした旨の情報を認証情報記憶部３２に保存する。
【００６３】
次に、ステップ５０３において、ＣＰＵ８は、認証情報記憶部３２に記憶された情報により前回認証をパスしたか否かを判断する。パスしている場合はステップ５０４へ進み、パスしていない場合にはステップ５１７へ進む。
【００６４】
ステップ５０４において、ＣＰＵ８は、ＮＴＰサーバの年月日情報記憶部３１の年月日を取得する。
【００６５】
ステップ５０５において、ＣＰＵ８は、データベース記憶部３０ｂの記憶データで定められている既定期間（開始〜終了年月日間）の最初の認証であるか否かを認証情報記憶部３２の記憶情報により判断する。認証情報記憶部３２に記憶された、前回認証時における既定期間（開始、終了）と、現在、データベース記憶部３０ｂで記憶された既定期間とが一致していることを確認できた場合は、ステップ５２０へ進み、そうでない場合にはステップ５０６へ進む。
【００６６】
ステップ５０６において、ユーザ２６が、パスワード入力画面２７ｂよりユーザＩＤ、パスワード（不変用）、パスワード（時変用）を入力する。
【００６７】
そして、ステップ５０７において、ＣＰＵ８は、ユーザ２６により入力されたユーザＩＤがデータベース記憶部３０ｂの中に存在するか否かを判断する。存在する場合はステップ５０８へ進み、存在しない場合にはステップ５０４へ戻る。
【００６８】
ステップ５０８において、ＣＰＵ８は、ユーザ２６により入力されたパスワード（不変用）をハッシュ変換する。
【００６９】
そして、ステップ５０９において、ＣＰＵ８は、ユーザ２６により入力されたパスワード（不変用）とデータベース記憶部３０ｃ内の不変パスワードとが一致するかどうか判断する。一致する場合はステップ５１０へ進み、一致しない場合にはステップ５０４へ戻る。
【００７０】
ステップ５１０において、ＣＰＵ８は、データベース記憶部３０ｂで定めている既定期間（開始〜終了年月日間）の最初の認証であるか否かを認証情報記憶部３２に記憶された情報に基づいて判断する。認証情報記憶部３２の前回認証時の既定期間の開始、終了と、現在、データベース記憶部３０ｂに記憶された該当している開始、終了期間とが一致していることを確認できた場合はステップ５１５へ進み、そうでない場合にはステップ５１１へ進む。
【００７１】
ステップ５１１において、ＣＰＵ８は、データベース記憶部３０ｂの中に、取得した年月日情報記憶部（ＮＴＰサーバ内）３１の該当する既定期間（開始〜終了年月日間）があり、ユーザ２６により入力されたユーザＩＤもそこに関連付けられているか否かを判断する。該当する期間があり、ユーザＩＤが関連付けられている場合はステップ５１２へ進み、そうでない場合にはステップ５２１へ進む。
【００７２】
ステップ５１２において、ＣＰＵ８は、ユーザ２６により入力されたユーザＩＤ、取得した年月日情報記憶部（ＮＴＰサーバ内）３１に該当する既定期間（開始〜終了年月日間）のパスワードをデータベース記憶部３０ｂより取得し、時変パスワードとして設定する。
【００７３】
ステップ５１３において、ＣＰＵ８は、ユーザ２６により入力されたパスワード（時変用）をハッシュ変換する。
【００７４】
続いて、ステップ５１４において、ＣＰＵ８は、ユーザ２６により入力されたパスワード（時変用）と時変用パスワードとが一致するかどうか判断する。一致する場合はステップ５１５に進み、一致しない場合にはステップ５０４へ戻る。
【００７５】
ステップ５１５において、ＣＰＵ８は、ＭＲＩ装置のメンテナンスプログラムを使用可能な状態にする。
【００７６】
そして、ステップ５１６において、ＣＰＵ８は、認証した旨の情報、年月日情報記憶部（ＮＴＰサーバ内）３１の該当するデータベース記憶部３０ｂでの開始、終了期間を認証情報記憶部３２に保存する。
【００７７】
ステップ５１７において、ユーザ２６が管理者用のパスワードを入力する。
【００７８】
ステップ５１８において、ＣＰＵ８は、ユーザ２６により入力された管理者用のパスワードをハッシュ変換する。
【００７９】
ステップ５１９において、ＣＰＵ８は、入力されたパスワードが管理者用のパスワードであるか判断する。管理者用のパスワードであった場合はステップ５０４へ進み、そうでない場合にはステップ５２２へ進む。
【００８０】
ステップ５２０において、ユーザ２６がパスワード入力画面２７ｃよりユーザＩＤ、パスワード（不変用）を入力する。
【００８１】
ステップ５２１において、ＣＰＵ８は、データベース記憶部３０ｂの最後に格納されているパスワードを時変パスワードとして設定する。
【００８２】
ステップ５２２において、ＣＰＵ８は、認証をパスできなかった旨の情報を認証情報記憶部３２に保存する。
【００８３】
以上のように、本発明の他の実施形態のＭＲＩ装置によれば、ユーザがその年度（既定期間）の初回認証時、不変パスワードと時変パスワードとを入力し、ＮＴＰサーバから年月日情報を取得して、取得した年月日情報から求められる時変パスワードと入力された時変パスワードとが一致し、かつ、入力された不変パスワードが記憶されている不変パスワードと一致する場合、メンテナンスを許可し、いずれか一方が不一致の場合は、メンテナンスを許可しない。
【００８４】
そして、時変パスワード及び不変パスワードが共に、記憶されたパスワートと一致した場合は、その既定期間内で２度目以降の認証時には、そのときの不変パスワードのみを使用すれば、メンテナンスが許可される構成となっている。
【００８５】
したがって、セキュリティをより高度に維持しながら、ユーザの利便性を向上させることができるＭＲＩ装置を実現することができる。
【００８６】
なお、本発明は、ＭＲＩ装置のみならず、ＣＴ装置等の他の医用画像診断装置にも適用可能である。
【図面の簡単な説明】
【００８７】
【図１】本発明の一実施形態に係るＭＲＩ装置の全体構成図である。
【図２】本発明の一実施形態による認証システムの説明図である。
【図３】本発明の一実施形態による認証システムの動作フローチャートである。
【図４】本発明の他の実施形態による認証システムの説明図である。
【図５】本発明の他の実施形態による認証システムの動作フローチャートである。
【図６】本発明の他の実施形態による認証システムの動作フローチャートである。
【符号の説明】
【００８８】
１・・・被検体、  ２・・・静磁場発生磁石、  ３・・・傾斜磁場発生系、  ４・・・シーケンサ、  ５・・・送信系、  ６・・・受信系、  ７・・・信号処理系、  ８・・・ＣＰＵ、  ９・・・傾斜磁場コイル、  １０・・・傾斜磁場電源、  １１・・・高周波発信器、  １２・・・変調器、  １３・・・増幅器、  １４ａ、１４ｂ・・・高周波コイル、  １５・・・増幅器、  １６・・・直交位相検波器、  １７・・・Ａ／Ｄ変換器、  １８・・・磁気ディスク、  １９・・・光ディスク、  ２０・・・ディスプレイ、  ２１・・・ＲＯＭ、  ２２・・・ＲＡＭ、  ２３・・・マウス、  ２４・・・キーボード、  ２５・・・操作部、  ２６・・・ユーザ、  ２７ａ、２７ｂ、２７ｃ・・・パスワード入力画面、  ２８・・・データ記憶部  ２９・・・年情報記憶部（ＭＲＩ装置内）、  ３０ａ、３０ｂ、３０ｃ・・・データベース記憶部、３１・・・年月日情報記憶部（ＮＴＰサーバ内）、  ３２・・・認証情報記憶部
【図１】
2010136825.tif 000003
【図２】
2010136825.tif 000004
【図３】
2010136825.tif 000005
【図４】
2010136825.tif 000006
【図５】
2010136825.tif 000007
【図６】
2010136825.tif 000008